(57)【特許請求の範囲】
【請求項１】
パチンコ機および玉貸機を交互に配列したパチンコ島の各玉貸機から投入された薄片を副搬送路に沿って引き込むとともに前記パチンコ機および前記玉貸機の配列の背面側に設置された主搬送路に合流させる合流搬送ユニットと、前記合流搬送ユニットによって副搬送路から合流した薄片を主搬送路に沿って搬送する中継搬送ユニットと、薄片を収納する薄片収納装置とを備えた薄片搬送システムであって、
前記主搬送路に沿って搬送された薄片を主搬送路から方向転換させつつ、前記パチンコ島の島内における前記主搬送路の延長線上からずれた位置に配置されている前記薄片収納装置に搬送する終端搬送ユニットを設けたことを特徴とする薄片搬送システム。
【請求項２】
前記薄片収納装置は、薄片を搬送経路途上の略同一平面内で直角方向に方向転換させるガイド部材を有することを特徴とする請求項１記載の薄片搬送システム。
【請求項３】
前記薄片収納装置は、薄片をその長手方向と主搬送路とが同一方向になるように収納することを特徴とする請求項１記載の薄片搬送システム。
【請求項４】
壁島に設けられたことを特徴とする請求項１乃至３記載の薄片搬送システム。
【発明の詳細な説明】
【０００１】
【発明の属する技術分野】
本発明は、遊技機島内に設けられ、パチンコ玉貸機などの台間機に投入された紙幣、プリペイドカード等を搬送して金庫に収納する薄片搬送システムに関するものである。
【０００２】
【従来の技術】
従来の薄片搬送システムの一例として、紙幣を搬送し収納する紙幣搬送システムについて説明する。
【０００３】
図７は、従来の紙幣搬送システム２ｆを設置したパチンコ島１ｆの構成図である。図７において、パチンコ島１ｆは、両側に交互に配設されたパチンコ機３及び玉貸機４と、パチンコ島の端部（以下、「島端」という。）を形成する妻板９、１１と、妻板９に取り付けられておりパチンコ玉の数を計数する玉計数機１０と、玉還元装置１３と、内部に設けられた紙幣搬送システム２ｆとで構成されている。ここに、紙幣搬送システム２ｆは、合流搬送ユニット５と、中継搬送ユニット６と、妻板１１に取り付けられた紙幣収納装置８とで構成されている。
【０００４】
パチンコ玉を借りるために玉貸機４に紙幣（例えば、１０００円札）を玉貸機４の紙幣投入口（図示せず）に投入すると、投入された紙幣は、内部に引き込まれつつ、その真偽及び金額が識別される。投入された紙幣が真札であると判別された場合には、投入金額に応じた数のパチンコ玉が払い出される。一方、投入された紙幣は、副搬送路（矢印Ａの方向）から、主搬送路（矢印Ｂの方向）に方向転換され、中継搬送ユニット６、合流搬送ユニット５とを交互に経由して島端に搬送され、島端に設けられた紙幣収納装置８に収納される。紙幣収納装置８に収納された紙幣は、金庫が紙幣によって満杯になったときや閉店時などに回収されるようになっている。
【０００５】
このように従来の紙幣搬送システムでは、紙幣を収納する紙幣収納装置は島端を形成する妻板に設けるのが一般的であった。
【０００６】
【発明が解決しようとする課題】
しかし、妻板には遊技客が獲得した賞品球を計数するパチンコ玉計数装置や両替機などの周辺機器が設けられている。このような周辺機器が、紙幣搬送システムの主搬送路の延長線上にある場合、妻板に紙幣収納装置が取り付けられないため紙幣搬送システムが設置できない。すなわち、新規にパチンコ島を設置する場合には、周辺機器と紙幣搬送システムの紙幣収納装置とが干渉しないようにレイアウトすることができるが、既存のパチンコ島に紙幣搬送システムを設置する場合には、妻板に紙幣収納装置を取り付けられないという問題があった。
【０００７】
また、紙幣搬送システムの主搬送路の延長線上に玉還元装置がある場合にも上記と同様の問題が発生していた。
【０００８】
さらに、建物の壁に沿ってパチンコ島を形成する、いわゆる壁島においては、妻板と壁の間に設置スペースがなく、紙幣収納装置を設置できないという問題があった。
【０００９】
このように金庫が設置できない場合には、パチンコ島内に紙幣搬送システムが設置できない。
【００１０】
本発明は、上記従来の薄片搬送システムにおいて、主搬送路の延長線上に遊技媒体計数装置などの周辺機器がある場合などに、薄片を収納する金庫を設置できないという問題点を解決するためになされたものである。
【００１１】
【課題を解決するための手段】
請求項１に記載された本発明は、パチンコ機および玉貸機を交互に配列したパチンコ島の各玉貸機から投入された薄片を副搬送路に沿って引き込むとともに前記パチンコ機および前記玉貸機の配列の背面側に設置された主搬送路に合流させる合流搬送ユニットと、合流搬送ユニットによって副搬送路から合流した薄片を主搬送路に沿って搬送する中継搬送ユニットと、薄片を収納する薄片収納装置とを備えた薄片搬送システムにおいて、主搬送路に沿って搬送された薄片を主搬送路から方向転換させつつ、前記パチンコ島の島内における前記主搬送路の延長線上からずれた位置に配置されている薄片収納装置に搬送する終端搬送ユニットを設けたことを特徴とする。
【００１２】
また、請求項２に記載された本発明は、請求項１記載の薄片搬送システムにおいて、薄片収納装置は、薄片を搬送経路途上の略同一平面内で直角方向に方向転換させるガイド部材を有することを特徴とする。
【００１３】
また、請求項３に記載された本発明は、請求項１記載の薄片搬送システムにおいて、薄片収納装置は、薄片をその長手方向と主搬送路とが同一方向になるように収納することを特徴とする。
【００１４】
さらに、請求項４に記載された本発明は、請求項１乃至３記載の薄片搬送システムにおいて、壁島に設けられたことを特徴とする。
【００１５】
【発明の実施の形態】
本発明に係る薄片搬送システムの実施の形態について、図面に基づき詳細に説明する。
【００１６】
（実施例１）
図１は、実施例１に係る紙幣搬送システムを設置したパチンコ島の構成図、図２は、紙幣収納装置の構成及び紙幣の搬送経路を示す概略図である。
【００１７】
図１において、パチンコ島１ａは、パチンコ機３と、紙幣（千円札）の投入によりパチンコ玉を払い出す玉貸機４と、玉貸機４に投入された紙幣を搬送するとともに搬送した紙幣を収納する紙幣搬送システム（薄片搬送システム）２ａと、島端を形成する妻板９、１１と、遊技客が獲得したパチンコ玉、いわゆる賞品玉を計数する玉計数機１０と、一万円札及び五千円札を千円札に両替する両替機１２と、玉還元装置１３とで構成されている。
【００１８】
ここに、玉還元装置１３は、下部タンクに収納されたパチンコ玉を上部タンク（いずれも図示せず）に揚送するものであり、上部タンクに設けられたセンサ（図示せず）により、上部タンクに収納されたパチンコ玉が一定量以下になったことを検知すると作動するようになっている。なお、下部タンクには、パチンコ機３から排出された、いわゆるアウト玉や、玉計数機１０から排出された、賞品玉が収納されるようになっており、上部タンクに収納されたパチンコ玉は、玉貸機４及びパチンコ機３に供給され、貸し玉として払い出されたり、賞品玉として払い出される。
【００１９】
また、紙幣搬送システム２ａは、玉貸機４に投入された紙幣を副搬送路から主搬送路に搬送する合流搬送ユニット５と、主搬送路に沿って紙幣を搬送する中継搬送ユニット６と、最下流側の合流搬送ユニット５から搬送された紙幣を矢印Ｂ方向から矢印Ｃ方向に方向転換させつつ搬送する終端搬送ユニット７と、終端搬送ユニット７から搬送されてきた紙幣を収納する紙幣収納装置（薄片収納装置）８とで構成されている。
【００２０】
また、図２に示すように、紙幣収納装置８は、終端搬送ユニット７から矢印Ｃ方向に搬送されてきた紙幣を上方（矢印Ｄ方向）に向けて搬送するように方向転換させるガイド部材８ａと、搬送されてきた紙幣をその長手方向が主搬送路の方向と一致するよう（矢印Ｅ方向）に積み重ねて収納する金庫８ｂとを有している。
【００２１】
パチンコ玉を借りるため玉貸機４に投入された紙幣は、副搬送路に沿って（矢印Ａ方向）に引き込まれ、この引き込み動作中に紙幣の真偽及び金種が判別される。ここで、投入された紙幣が「千円札ではない」と判断されたときは、図示しない搬送機構が逆転し、その紙幣を投入口（図示せず）に払い戻す。一方、「千円札である」と判断されたとき、そのまま引き込み動作を継続し、投入された紙幣は、合流搬送ユニット５に搬送される。合流搬送ユニット５では、副搬送路（矢印Ａ方向）から主搬送路（矢印Ｂ方向）にむけて紙幣の搬送方向を転換しつつ、下流側の中継搬送ユニット６に紙幣を搬送する。このようにして主搬送路に搬送された紙幣は、合流搬送ユニット５と、中継搬送ユニット６とを交互に経由して最下流側の合流搬送ユニット５から終端搬送ユニット７に搬送される。終端搬送ユニット７では、紙幣の搬送方向を主搬送路の方向から９０°転換して、紙幣収納装置８に搬送する。
【００２２】
紙幣収納装置８では、搬送されてきた紙幣はガイド部材８ａにて上方（矢印Ｄ方向）に搬送するように方向転換される。上方に向けて搬送された紙幣は、さらに矢印Ｄ方向から矢印Ｅ方向に方向転換して搬送され、金庫８ｂ内に積み重ねて収納される。
【００２３】
このようにして金庫８ｂに収納された紙幣は、その長手方向と主搬送路の方向とが一致するようになっているので、紙幣収納装置８の奥行きを狭くすることができる。
【００２４】
なお、副搬送路は、玉貸機４及び合流搬送ユニット５の内部に形成されており、主搬送路は、合流搬送ユニット５及び中継搬送ユニット６の内部に形成されている。
【００２５】
（実施例２）
図３は、実施例２に係る紙幣搬送システムを設置したパチンコ島の構成図である。
【００２６】
図３において、パチンコ島１ｂは、実施例１と同様に、パチンコ機３と、玉貸機４と、紙幣搬送システム２ｂと、妻板９、１１と、玉計数機１０と、両替機１２と、玉還元装置１６で構成されている。ここに、紙幣搬送システム２ｂは、合流搬送ユニット５と、中継搬送ユニット６と、最下流側の合流搬送ユニットから搬送された紙幣を方向転換させつつ搬送する終端搬送ユニット１４と、妻板１１に取り付けられており、終端搬送ユニット７から搬送されてきた紙幣を収納する紙幣収納装置１５とで構成されている。また、両替機１２は、紙幣搬送システム２ｂの主搬送路の延長線上に取り付けられており、紙幣収納装置１５は、両替機１２と干渉しないよう主搬送路の延長線上からずれた位置に取り付けられている。
【００２７】
本実施例において、玉貸機４に投入された紙幣を最下流側の合流搬送ユニット５まで搬送する動作は、実施例１と同じである。最下流側の合流搬送ユニット５に搬送された紙幣は、終端搬送ユニット１４に搬送され、終端搬送ユニット１４にて搬送方向を主搬送路から９０°転換して搬送する。さらに、９０°転換して搬送して主搬送路と平行な方向に搬送して紙幣収納装置１５に収納される。
【００２８】
（実施例３）
図４は、実施例３に係る紙幣搬送システムを設置したパチンコ島の構成図である。
【００２９】
図４において、パチンコ島１ｃは、パチンコ機３と、玉貸機４と、紙幣搬送システム２ｃと、妻板９、１１と、玉計数機１０と、両替機１２と、玉還元装置１６とで構成されている。
【００３０】
ここに、紙幣搬送システム２ｃは、合流搬送ユニット５と、中継搬送ユニット６と、最下流側の合流搬送ユニット５から搬送された紙幣を方向転換させつつ搬送する終端搬送ユニット１７と、終端搬送ユニット１７から搬送されてきた紙幣を収納する紙幣収納装置８とで構成されている。紙幣の搬送動作は、実施例１と同様である。
【００３１】
本実施例では、玉還元装置１９が紙幣搬送システム２ｃの主搬送路の延長線上に設けられており、従来のような形態で紙幣搬送システムを設置することができない。そこで、玉還元装置１９と紙幣収納装置８との干渉を回避するようになっている。
【００３２】
（実施例４）
図５は、実施例４に係る紙幣搬送システムを設置したパチンコ島の構成図である。
【００３３】
図５において、パチンコ島１ｄは、パチンコ機３と、玉貸機４と、紙幣搬送システム２ｄと、妻板２２、２３と、玉還元装置２４とで構成されており、壁部２５に取り囲まれるように構成されている。ここに、紙幣搬送システム２ｄは、合流搬送ユニット５と、中継搬送ユニット６と、終端搬送ユニット２０と、終端搬送ユニット２０から搬送されてきた紙幣を収納する紙幣収納装置２１とで構成されている。なお、紙幣の搬送動作については、実施例１、３と同様である。
【００３４】
本実施例は、妻板２３と壁部２５との間隔は比較的広いものの、パチンコ機３をもう１台設置することができるスペースがない場合の適用例である。
【００３５】
（実施例５）
図６は、実施例５に係る紙幣搬送システムを設置したパチンコ島の構成図である。
【００３６】
図６において、パチンコ島１ｄは、パチンコ機３と、玉貸機４と、紙幣搬送システム２ｄと、妻板２８、２９と、玉還元装置３０とで構成されている。ここに、紙幣搬送システム２ｄは、合流搬送ユニット５と、中継搬送ユニット６と、終端搬送ユニット２６と、終端搬送ユニット２６から搬送されてきた紙幣を収納する紙幣収納装置２７とで構成されており、壁部３１に取り囲まれるように構成されている。本実施例において、紙幣の搬送動作は、実施例２と同様である。
【００３７】
本実施例は、実施例４と比べて妻板２９と壁部３１との間隔が狭い場合の適用例である。すなわち、実施例４のように紙幣収納装置２１を設置したのでは、パチンコ機３の設置台数を減らす必要があるが、この場合はパチンコ機３の設置台数を減少させることなく、紙幣搬送システム２ｅを設置することができる。
【００３８】
なお、本発明の実施の形態は、いずれも紙幣搬送システムに関するものであるが、本発明はこのような形態に限られるものではない。すなわち、使用済みのプリペイドカードを搬送し、カード収納装置に収納するするカード搬送システムであってもよい。
【００３９】
【発明の効果】
請求項１に記載された本発明によれば、投入された薄片を副搬送路に沿って引き込むとともに主搬送路に合流させる合流搬送ユニットと、合流搬送ユニットによって副搬送路から合流した薄片を主搬送路に沿って搬送する中継搬送ユニットと、薄片を収納する薄片収納装置とを備えた薄片搬送システムにおいて、主搬送路に沿って搬送された薄片を主搬送路から方向転換させつつ薄片収納装置に搬送する終端搬送ユニットを設けるようにしたので、島端に設けられた周辺機器との干渉を防止できる。また、建物の壁のため、島端に薄片収納装置を取り付けられない場合であっても、薄片搬送システムを設置することができる。
【００４０】
また、請求項２に記載された薄片搬送システムによれば、薄片収納装置は、薄片を搬送経路途上の略同一面内で直角方向に方向転換させるガイド部材を有するので、薄片収納装置を自由にレイアウトすることができる。
【００４１】
また、請求項３に記載された薄片搬送システムによれば、薄片収納装置は、薄片をその長手方向と主搬送路とが同じ方向になるように収納するので、薄片収納装置の奥行きを短くすることができる。
【００４２】
さらに、請求項４に記載された薄片搬送システムによれば、壁島に設置するようにしたので、薄片収納装置を妻板に設置できない場合であっても、遊技機の設置台数を減少させることなく薄片搬送システムを設置することができる。
【図面の簡単な説明】
【図１】実施例１に係る紙幣搬送システムを設置したパチンコ島の構成図である。
【図２】紙幣収納装置の構成及び紙幣の搬送経路を示す概略図である。
【図３】実施例２に係る紙幣搬送システムを設置したパチンコ島の構成図である。
【図４】実施例３に係る紙幣搬送システムを設置したパチンコ島の構成図である。
【図５】実施例４に係る紙幣搬送システムを設置したパチンコ島の構成図である。
【図６】実施例５に係る紙幣搬送システムを設置したパチンコ島の構成図である。
【図７】従来の紙幣搬送システムを設置したパチンコ島の構成図である。
【符号の説明】
１ａ〜１ｅ  パチンコ島
２ａ〜２ｅ  紙幣搬送システム
３  パチンコ機
４  玉貸機
５  合流搬送ユニット
６  中継搬送ユニット
７  終端搬送ユニット
８  紙幣収納装置
８ａ  ガイド部材
８ｂ  金庫
９  妻板
１０  玉計数機
１１  妻板
１２  両替機
１３  玉還元装置
１４  終端搬送ユニット
１５  紙幣収納装置
１６  玉還元装置
１７  終端搬送ユニット
１８  妻板
１９  玉還元装置
２０  終端搬送ユニット
２１  紙幣収納装置
２２  妻板
２３  妻板
２４  玉還元装置
２５  壁部
２６  終端搬送ユニット
２７  紙幣収納装置
２８  妻板
２９  妻板
３０  玉還元装置
３１  壁部
【図１】
0004744004.tif 000002
【図２】
0004744004.tif 000003
【図３】
0004744004.tif 000004
【図４】
0004744004.tif 000005
【図５】
0004744004.tif 000006
【図６】
0004744004.tif 000007
【図７】
0004744004.tif 000008